(57)【特許請求の範囲】
【請求項１】
昇降路の天井側から下方のエレベータ乗りかご又はカウンタ錘へ向かってワイヤロープに沿って降下し、前記ワイヤロープの長さを測定する測定器であって、
前記ワイヤロープに抱き付き前記ワイヤロープに沿って降下可能な本体と、
前記本体に回転可能に軸支され、前記ワイヤロープに押圧され前記本体の降下量だけ回転する回転子と、
前記回転子の回転数を計測して移動距離を表示する表示器と、
前記本体が乗りかごまたはカウンタ錘まで降下したときの前記表示器の表示値を固定するストッパと、
前記本体を吊り下げ可能に吊り下げるための吊り下げロープと、を備えている、
エレベータ用ロープの長さ測定器。
【請求項２】
請求項１に記載のエレベータ用ロープの長さ測定器において、
前記回転子を間に挟んで前記ワイヤロープと向かい合うように前記本体に配置され、前記ワイヤロープに対して磁気的引力を作用させて前記回転子を前記ワイヤロープに押圧するマグネットをさらに備えている、エレベータ用ロープの長さ測定器。
【発明の詳細な説明】
【技術分野】
【０００１】
本発明は、エレベータ乗りかごとカウンタ錘とを吊り下げるワイヤロープの長さを測定する測定器、特に天井側からワイヤロープに沿って降下して長さを測定する測定器に関する。
【背景技術】
【０００２】
通常、エレベータ乗りかごとカウンタ錘とを吊り下げているワイヤロープは経年摩耗によって劣化するため定期的に新しいワイヤロープに交換する必要があり、この新しいワイヤロープの長さを決定するために使用中の旧いワイヤロープの長さを測定する必要がある。
【０００３】
例えば、特許文献１には、巻尺の測定目盛帯が連結されたリングを昇降路直上の機械室からワイヤロープに沿ってエレベータ乗りかごおよびカウンタ錘に向かって降下させ、この測定目盛帯の目盛を読むことによってワイヤロープの長さを測定する長さ測定器が開示されている。
【先行技術文献】
【特許文献】
【０００４】
【特許文献１】特開２００１−２４０３４２
【発明の概要】
【発明が解決しようとする課題】
【０００５】
しかしながら、上記特許文献１に開示された長さ測定器では、エレベータ乗りかごの天井およびカウンタ錘上端で測定目盛帯の先端をクランプ等の固定具で固定した上で、直上の機械室で測定目盛帯の目盛を読む必要があるため作業に手間がかかるという問題がある。
【０００６】
そこで、本発明の目的は、乗りかごの天井やカウンタ錘上端に固定する手間を要することなくワイヤロープの長さを簡単に測定することができるエレベータ用ロープの長さ測定器を提供することにある。
【課題を解決するための手段】
【０００７】
本発明に係るエレベータ用ロープの長さ測定器は、昇降路の天井側から下方のエレベータ乗りかご又はカウンタ錘へ向かってワイヤロープに沿って降下し、ワイヤロープの長さを測定する測定器であり、ワイヤロープに抱き付きワイヤロープに沿って降下可能な本体と、本体に回転可能に軸支され、ワイヤロープに押圧され本体の降下量だけ回転する回転子と、回転子の回転数を計測して移動距離を表示する表示器と、本体が乗りかごまたはカウンタ錘まで降下したときの表示器の表示値を固定するストッパと、本体を吊り下げ可能に吊り下げるための吊り下げロープと、を備えるものである。
【０００８】
本発明に係るエレベータ用ロープの長さ測定器において、回転子を間に挟んでワイヤロープに向かい合うように本体に配置され、ワイヤロープに対して磁気的引力を作用させて回転子をワイヤロープに押圧するマグネットをさらに備えることが好適である。
【発明の効果】
【０００９】
本発明に係るエレベータ用ロープの長さ測定器によれば、ワイヤロープに押圧されて回転子が回転し、その回転数が計測されることによって移動距離が表示され、ストッパによって乗りかごまたはカウンタ錘まで本体が降下したときの表示値が固定された状態で本体が引き上げられる。このため、例えば、昇降路の天井側に設けられた機械室から本体を下方の乗りかごまたはカウンタ錘まで降下させて引き上げることによってワイヤロープの長さを測定することができる。この結果、乗りかごの天井やカウンタ錘上端に固定することなくワイヤロープの長さを簡単に測定することができる。
【図面の簡単な説明】
【００１０】
【図１】本発明に係る第１の実施形態であるエレベータ用ロープの長さ測定器が適用されるエレベータの全体構成を示す図である。
【図２】図１に含まれるエレベータ用ロープの長さ測定器の側面図である。
【図３】図１に含まれるエレベータ用ロープの長さ測定器の上面側の構成を示す図である。
【図４】図１に含まれるエレベータ用ロープの長さ測定器をワイヤロープから取り外した状態を図３と同様に示す図である。
【図５】本発明に係る第２の実施形態であるエレベータ用ロープの長さ測定器の上面側の構成を示す図である。
【図６】図５に示すＡ-Ａ断面におけるエレベータ用ロープの長さ測定器の断面図である。
【発明を実施するための形態】
【００１１】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
図１は、本発明に係る第１の実施形態であるエレベータ用ロープの長さ測定器が適用されるエレベータ１０の全体構成を示す図である。エレベータ１０は、ワイヤロープ１１、巻上機１２、沿わせ車１２ａ、乗りかご１６、カウンタ錘１８およびエレベータ用ロープの長さ測定器２０を備えている。
【００１３】
ワイヤロープ１１は、巻上機１２および沿わせ車１２ａに巻き掛けられており、一端が乗りかご１６のジョイント１６ａを経由して乗りかご１６の天井部にボルトで固定され、他端がカウンタ錘１８のジョイント１８ａに接続されている。また、乗りかご１６とジョイント１６ａとの間には急停止時の衝撃を緩和するためにスプリング１６ｂが取り付けられている。巻上機１２は、昇降路Ｒの直上に設けられた機械室１４に設置されている。巻上機１２は、図示しない電動機の回転駆動力によって巻き掛けられたワイヤロープ１１を介して乗りかご１６およびカウンタ錘１８を相対的に昇降させる。カウンタ錘１８は、巻上機１２が乗りかご１６を引き揚げるときの負荷を軽減するための釣り合い重りである。
【００１４】
図２は、図１に含まれるエレベータ用ロープの長さ測定器２０の側面構成を示す部分拡大図であり、図３は、図１に含まれるエレベータ用ロープの長さ測定器２０の上面の構成を示す図である。図４は、エレベータ用ロープの長さ測定器２０をワイヤロープ１１から取り外した状態を示す図である。
【００１５】
エレベータ用ロープの長さ測定器２０は、ワイヤロープ１１に抱き付きワイヤロープ１１に沿って降下可能に形成された本体２２と、この本体２２を吊り下げるための吊り下げロープ３１を備えている。この本体２２は、箱状の外形を呈しており、図３に示すように、ワイヤロープ１１を嵌め込むための略Ｕ字状のガイド溝２４が側面に上下方向に沿って形成されている。本体２２のガイド溝２４に隣接する角部の上下方向における中央部には切り欠き部２２ａが形成されている。この切り欠き部２２ａの上側に半円形を成す板状の突出部である回転支持部２２ｃが１つ設けられ、切り欠き部２２ａの下側に半円形を成す板状の突出部である回転支持部２２ｄが所定の隙間を挟んで２つ設けられている。
【００１６】
本体２２は、ワイヤロープ１１をガイド溝２４との間で挟み込む回転子２７が軸支された揺動アーム２６を有している。この揺動アーム２６は、上下方向に長い板状の外形を有し、一側面に長手方向と直交する方向に突出する半円形を成す板状の突出部２６ａ，２６ｂが設けられている。突出部２６ａは上記回転支持部２２ｃを挟み込むように上端側に２つ設けられ、突出部２６ｂは上記２つの回転支持部２２ｄに挟み込まれるように下端側に１つ設けられている。そして、各回転支持部２２ｃ，２２ｄおよび突出部２６ａ，２６ｂに設けられた貫通孔に回転軸２６ｃが挿通されることによって揺動アーム２６がガイド溝２４の長手方向と直交する方向に回転可能に本体２２に支持されている。揺動アーム２６は、回転軸２６ｃに挿嵌された２つの弾性バネ２８によってガイド溝２４の方へ付勢されている。このため、回転子２７がワイヤロープ１１に押圧され、本体２２の降下量だけ回転子２７が回転する。本実施形態では、揺動アーム２６を介して弾性バネ２８の付勢力を回転子２７に作用させる例を挙げているが、揺動アーム２６を設ける代わりに、本体２２に固定支持された片持ちアームを設けてもよい。より具体的には、回転子２７における回転軸の一端をガイド溝２４の方に移動可能に軸支する長溝を上記片持ちアームに形成し、この長溝の中にガイド溝２４の方に回転子２７を付勢する弾性バネを内蔵させるようにしてもよい。この場合には、揺動アーム２６を介さずに弾性バネの付勢力を回転子２７に直接作用させることができる。
また、回転子２７は、ワイヤロープ１１との接触面積を大きくするために周面が略Ｕ字状に形成されている。これにより、ワイヤロープ１１との間における摩擦抵抗を大きくして滑り難くすることで空回りし難くしている。なお、回転子２７の周面の形状は、略Ｕ字状に限定されるものではなく、その他、例えば略Ｖ字状に形成してもよいし、さらにワイヤロープ１１に付着している油が抜け易くするために周方向に沿って溝を設けてもよい。回転子２７には回転板６１が同軸に固定され、回転板６１の側周に配置された光学パターンを読み取ることで回転板６１の回転量、すなわちワイヤロープ１１の長さを測定することができる。
【００１７】
本体２２は、回転子２７の回転を検知する回転センサ３０と、この回転センサ３０からの信号に基づいて回転数を計測するとともに回転数から移動距離を算出して表示する表示器３２とをさらに有している。この回転センサ３０は、回転板６１の両側面に対向する発光器と受光器とを含み揺動アーム２６に取り付けられている。表示器３２は上記移動距離を表示する表示面３２ａを有し、この表示面３２ａが本体２２のガイド溝２４と反対側の面に露出するように本体２２に内蔵されている。表示器３２は、本体２２を上下方向に貫通するように設けられた円柱状のストッパ３２ｂを有している。このストッパ３２ｂは、本体２２の方へ押圧されることによって表示面３２ａに表示される表示値を固定する機能を有している。
【００１８】
また、本体２２は、例えば金属材料から構成され、回転子２７およびガイド溝２４によってワイヤロープ１１を挟み込みつつ本体２２が降下できる程度の重量を有するように形成されている。なお、本体２２が軽量なため降下し難い場合には、別途、本体２２に例えば両面テープやボルト等でウェイトを取り付けることによって自重を調整するようにしてもよい。
【００１９】
吊り下げロープ３１は、本体２２の上端部に設けられた係合部２２ｂに連結されている。これにより、本体２２を吊り下げながらワイヤロープ１１に沿ってゆっくりと降下させるとともに、測定完了後に本体２２を引き上げて回収することができる。
【００２０】
続いて、エレベータ用ロープの長さ測定器２０を用いたワイヤロープ１１の長さ測定方法について説明する。
【００２１】
図１に示すように、作業者は、エレベータ用ロープの長さ測定器２０の本体２２に設けられたガイド溝２４にワイヤロープ１１を嵌め込んだ状態で機械室１４の床面のスリット１４ａから昇降路Ｒの内部へ吊り下げロープ３１で吊り下げつつ本体２２を降下させる。エレベータ用ロープの長さ測定器２０は、乗りかご１６のジョイント１６ａまで降下するとストッパ３２ｂが押圧されて表示器３２の表示値が固定される。そして、作業者が吊り下げロープ３１によって本体２２を機械室１４へと引き上げて上記の表示値を確認することにより、ジョイント１６ａおよびスリット１４ａの間のワイヤロープ１１の長さを測定することができる。同様にして、機械室１４の床面に設けられたスリット１４ｂとカウンタ錘１８のジョイント１８ａとの間のワイヤロープ１１の長さについても長さ測定器２０によって測定することができる。
【００２２】
そして、作業者は、巻上機１２を経由して各スリット１４ａ，１４ｂに至るワイヤロープ１１の長さと、乗りかご１６とジョイント１６ａとの間のワイヤロープ１１の長さとを巻尺等を用いて別途測定し、上記の長さ測定器２０によって測定した長さと足し合わせることによってワイヤロープ１１の全長を測定することができる。その結果、エレベータ用ロープの長さ測定器２０によれば、乗りかご１６の天井やカウンタ錘１８の上端に測定器を固定するといった手間を要することなくワイヤロープ１１の全長を簡単に測定することができる。
【００２３】
図５は、本発明に係る第２の実施形態であるエレベータ用ロープの長さ測定器４０の上面構成を示す部分拡大図である。図６は、図５に示すＡ−Ａ断面における長さ測定器４０の断面構成を示す図である。
【００２４】
以下において上記第１実施形態におけるエレベータ用ロープの長さ測定器２０と構成が共通する部分については適宜説明を省略するとともに、構成が異なる部分についてのみ説明するものとする。
【００２５】
エレベータ用ロープの長さ測定器４０は、本体４２、および、吊り下げロープ３１を備えている。本体４２は回転子４３を有し、この回転子４３は略Ｕ字状に形成されたガイド溝４４に軸支されている。より詳しくは、回転子４３の回転軸４３ａは、ガイド溝４４の対向する両側面にそれぞれ形成されたスライド溝４４ａにワイヤロープ１１と接近または離間する方向に揺動可能に係合されるとともに、本体４２に一端を固定支持された略Ｌ字状の板ばね４５によってワイヤロープ１１の方へ付勢されている。
【００２６】
本体４２は、略Ｃ字形状を呈する上マグネット４８および下マグネット５０が回転子４３を間に挟んで対向するようにガイド溝４４の上下両端部にそれぞれ設けられている。各マグネット４８，５０の開口端は、ワイヤロープ１１に向き合うようにそれぞれ近接配置されている。本体４２は、各マグネット４８，５０の磁気的引力によってワイヤロープ１１に引き寄せられ、回転子４３が板ばね４５によって付勢されつつワイヤロープ１１に押圧されて密着している。一方、各マグネット４８，５０は、上記回転子４３がワイヤロープ１１に当接することによってワイヤロープ１１に吸着しない位置に保持されている。また、本体４２および回転子４３は、例えば、アルミニウムやステンレス等の非磁性金属材料や樹脂材料によって形成すればよい。これにより、本体４２や回転子４３がワイヤロープ１１に磁気的引力によって吸着してしまうことが防止され、本体４２をスムーズに降下させることができる。
【００２７】
本体４２は、上記回転子４３を軸支するガイド溝４４の先端部５２がワイヤロープ１１の方へ張り出してワイヤロープ１１の周囲を取り囲むように形成されている。
【００２８】
エレベータ用ロープの長さ測定器４０は、ガイド溝４４の底面部に上記表示器３２と同様の機能を有する表示器４６をさらに有している。この表示器４６は、回転子４３の回転を検出するセンサ５４と電気的に接続されている。センサ５４は、回転子４３の回転軸４３ａの一端に取り付けられ、回転子４３の揺動に伴ってスライド溝６２の内部を移動可能に設けられている。また、表示器４６は、回転子４３に対向する側面に円柱状のストッパ５６が取り付けられ、このストッパ５６が下マグネット５０の方へ延出するように形成されている。このストッパ５６は、上記のストッパ３２ｂと同様の機能を有し、本体４２が降下したときに乗りかご１６のジョイント１６ａまたはカウンタ錘１８のジョイント１８ａに押圧されることによって表示器４６に表示されている表示値を固定する機能を有している。
【００２９】
上記エレベータ用ロープの長さ測定器４０によれば、各マグネット４８、５０の磁気的引力によってワイヤロープ１１に本体４２を吸着させつつ降下させて上記長さ測定器２０と同様にワイヤロープ１１の長さを測定することができる。
【００３０】
なお、本発明に係るエレベータ用ロープの長さ測定器は、上述した実施形態およびその変形例の構成に限定されるものではなく、本願の特許請求の範囲に記載された事項およびその均等の範囲内で種々の改良や変更が可能であることはいうまでもない。
【符号の説明】
【００３１】
１０  エレベータ、１１  ワイヤロープ、１４  機械室、２０，４０  エレベータ用ロープの長さ測定器、２２，４２  本体、２７，４３  回転子、３１  吊り下げロープ、３２，４６  表示器、３２ｂ，５６  ストッパ、４８  上マグネット、５０  下マグネット、Ｒ  昇降路。
【図１】
0006362551.tif 000002
【図２】
0006362551.tif 000003
【図３】
0006362551.tif 000004
【図４】
0006362551.tif 000005
【図５】
0006362551.tif 000006
【図６】
0006362551.tif 000007